Podtech/llm-jp-corpus-v4-ja_patent huggingface dataset:
(57)【要約】      （修正有）【課題】パンツインスリップは、防寒が必要な季節でも、通勤、礼服、通学服等その社会性において、スカートの形状の衣服を着る必要性がある女性にとって、悩みの種である冷えから身体を守るものである。スリップ本来の機能を壊す事無く、冷えを軽減出来、しかも美観を損なわないためのパンツインスリップを提供する。【解決手段】上半身がシャツ状、下半身がスリップスカートの形状。そのスカート部分を二重構造にし、内側の生地をパンツ、ストッキング等の下半身下着に入れて使用することで、冷えを軽減出来る構造、形状の衣服である。【選択図】図１
0003164837.tif 000002
【実用新案登録請求の範囲】
【請求項１】
上半身がシャツ状、下半身がスリップのスカートの形状。そのスカート部分が二重になっており、内側の生地をパンツ等の下半身用下着に入れて使用する事を目的とした形状、構造のパンツインスリップ。
【請求項２】
ワンピース、キャミソール等の、ワンピース状の衣服全般において、そのスカートの部分が二重になっており、内側の生地をパンツ等の下半身下着に入れて使用する事を目的とした形状、構造の請求項１記載のパンツインスリップ。
【考案の詳細な説明】
【技術分野】
【０００１】女性下着スリップの上半身部分をシャツ状にし、さらにスカート部分を２重構造する。その内側の生地を下半身部下着のパンツやストッキングの中に入れて使用する事を目的とした暖か被服である。
【技術背景】
【０００２】スリップを愛用する多くの女性ユーザーは、スリップのスカート部分を無理矢理パンツ、ストッキングの中に押し込み、冷えを防止する工夫をして仕様しているが、これはあまり好ましい使用方法ではない。なお、これを解消するべくアイディア商品は無い。
【先行技術文献】
【特許文献１】
【０００３】
【特許文献１】登録実用新案第３０３６７５６号  マルチスリップ
【０００４】
【特許文献２】特開２０００−３５５８０１  スリップパンティー
【考案の概要】
【考案が解決しようとする課題】
【０００５】女性は防寒が必要な寒い季節でも、その社会性において、スカートの形状の衣服を着る必要性がある。通勤、礼服、通学服等の場合である。
スリップは、本来スカートの内側をスムーズに、そして汗等の汚れを防止する目的をもっている。さらにそのエレガントな仕様で長年女性に愛されて来た。が、その形状ゆえ暖かい製品は考えにくかった。本発明は、そのスリップ本来の機能を失う事無く、冷えを軽減できる、しかも美観を損なわない被服を作る、その形状と仕様の提供である。
【課題を解決するための手段】
【０００６】本発明は、スリップの上半身をシャツ状のものに変え、さらにその下半身のスカート部分を２重構造にし、内側の生地を下半身部の下着であるパンツやストッキングの中に入れて使用する、パンツインできるスリップである。
【考案の効果】
【０００７】スリップ本来の使用意味である、スカートの内側をスムーズにさせる機能等を失わせる事無く、寒い時期にもスカートを使用しなければならない女性の冷えを軽減させることができる。しかもそのスカート内側の生地の選択いかんで、痩せて見える等の美的効果もある。しかも、女性下着としての美観を損なうことがない。
【図面の簡単な説明】
【０００８】
【図１】本考案、パンツインスリップの正面図であり、点線部分が二重構造の内側のスカート部分である。
【考案を実施するための形態】
【０００９】上半身のシャツ部分からつながるスカート部分は二重構造ななっている。その内側の部分は、適度な伸縮性をもった素材で作られている。
【実施例】
【００１０】本、パンツインスリップを身につけ、二重のスカートの内側の一枚をパンツ、ストッキング等の下半身下着に入れて使用する。
【産業上の利用可能性】
【００１１】女性用スリップの、冷え防止商品【００１２】本パンツインスリップの上半身のシャツ背中部分にＸ型のゴムを付属させることにより、暖かく、さらに姿勢矯正効果のある被服となり得る。【００１３】本パンツインスリップの上半身胸部にパットを２つ取り付ける事により、ブラジャーが必要なくなり、ボディーラインをすっきりみせる、オールインワンの痩身被服となり得る。【００１４】本パンツインスリップの二重のスカートの内側の部分を  パワーネット等の素材を使う事により、お腹をひきしめ、ダイエット被服となり得る。
【符号の説明】
【００１５】１  シャツ
２  スリップスカート
３  アンダースカート
４  テープ（レース素材、他）
【図１】
0003164837.tif 000003
【手続補正書】
【提出日】平成22年8月6日(2010.8.6)
【手続補正１】
【補正対象書類名】実用新案登録請求の範囲
【補正対象項目名】全文
【補正方法】変更
【補正の内容】
【実用新案登録請求の範囲】
【請求項１】
上半身がシャツ状、下半身がスカートのスリップであり、そのスカート部分が二重になっており、内側の生地をパンツ等の下半身用下着に入れて使用する事を目的とした形状、構造のパンツインスリップ。
【請求項２】
ワンピース、キャミソール等の、ワンピース状の衣服において、そのスカートの部分が二重になっており、内側の生地をパンツ等の下半身下着に入れて使用する事を目的とした形状、構造のワンピース状の衣服。
(57)【要約】【課題】本考案は、企業または家族の構成員が各人の帰宅出社困難度を把握し、企業または家族の責任者がそれらの結果を管理することで、実用性の高い帰宅出社困難者対策を行うためのシステムを提供する。【解決手段】本考案は、企業または家族の構成員がインターネットに接続されたコンピュータ端末と災害時の帰宅出社困難度を診断するソフトウェアを利用し、通勤、通学情報と個人情報を入力することで、各人が帰宅出社困難度を把握することを可能にする。また、その診断結果をサーバー上に保管し随時ダウンロードできるようにすることにより、企業または家族の責任者がウェブサイト上で閲覧、管理できるようにしていることを特徴とする帰宅出社困難者対策用システムである。【選択図】図１
0003164840.tif 000002
【実用新案登録請求の範囲】
【請求項１】
インターネットに接続されたコンピュータ端末を用いて会社又は家族の構成員の通勤、通学の情報及び個人の情報を入力することで災害時の通勤、通学の困難度を診断し、結果をウェブサイト上で閲覧できる手段と、診断結果をサーバー上のデータ記憶領域に保管することで、随時ダウンロードできる手段とを備えたことを特徴とする帰宅出社困難者対策用システム。
【考案の詳細な説明】
【技術分野】
【０００１】本考案は、災害時における帰宅出社困難者対策のシステムに関する。詳細には、災害による事故、ライフラインの停止、交通機関の停止によって帰宅出社が困難となる可能性を想定し帰宅出社困難者対策を行うためのシステムに関する。
【背景技術】
【０００２】従来、帰宅出社困難者対策として、備蓄や災害時の初動対応計画の作成を行う際、帰宅出社困難度が把握出来ていないため、効果の低い対策となっているのが現状である。
【考案の概要】
【考案が解決しようとする課題】
【０００３】本考案は前述した点に鑑みてなされたものであり、その目的とするところは、企業または家族の構成員が各人の帰宅出社困難度を把握し、企業または家族の責任者がそれらの結果を管理することで、実用性の高い帰宅出社困難者対策を行うためのシステムを提供することである。
【課題を解決するための手段】
【０００４】上述の課題を解決するために、本考案は、企業または家族の構成員がインターネットに接続されたコンピュータ端末と災害時の帰宅出社困難度を診断するソフトウェアを利用し、通勤、通学の情報及び個人の情報を入力することで、従業員や学生自身が帰宅出社困難度を把握することを可能にする。また、その診断結果をサーバー上に保管し随時ダウンロードできるようにすることにより、企業または家族の責任者がウェブサイト上で閲覧、管理できるようにしていることを特徴とする帰宅出社困難者対策用システムである。
【考案の効果】
【０００５】本考案は、上記のように構成されているので、以下のような効果を奏する。
本考案に係る帰宅出社困難者対策用システムの導入により、企業または家族の構成員が自身の帰宅困難度を把握することで防災意識の向上につながる。
企業または家族の責任者が、各構成員の帰宅出社困難度を把握することで、実用性の高い帰宅出社困難者対策、主に備蓄や災害時の初動対応計画の作成を行うことができる。
災害時に、企業または家族の責任者が構成員の帰宅出社困難度を把握していることで柔軟な対応を行うことができる。
【図面の簡単な説明】
【０００６】
【図１】本考案のブロック図
【考案を実施するための形態】
【０００７】以下、本考案の実施の形態を図に基づき説明する。図１には、帰宅出社困難者対策用システムを使用した一実施の形態のブロック図を示す。企業または家族の構成員は、インターネット２に接続されたコンピュータ端末１を通してサーバー３にアクセスし、自身の居住地住所や勤務地住所、帰宅困難度に関連する個人情報を入力することで帰宅出社困難度診断ソフトウェア４を用いて帰宅出社困難度情報を得る。企業または家族の構成員の個人情報と帰宅出社困難度情報は、サーバー内の記憶領域５に保管され、閲覧ソフトウェア６を通して企業または家族の責任者がインターネット２に接続されたコンピュータ端末７を通してデータを閲覧またはダウンロードすることができる。
【符号の説明】
【０００８】１．企業または家族の構成員の利用するコンピュータ端末
２．インターネット
３．サーバー
４．帰宅出社困難度診断ソフトウェア
５．データ記憶領域
６．閲覧ソフトウェア
７．企業または家族の責任者の利用するコンピュータ端末
【図１】
0003164840.tif 000003
【手続補正書】
【提出日】平成22年10月1日(2010.10.1)
【手続補正１】
【補正対象書類名】実用新案登録請求の範囲
【補正対象項目名】全文
【補正方法】変更
【補正の内容】
【実用新案登録請求の範囲】
【請求項１】
企業又は家族の構成員が有するインターネットに接続されたコンピュータ端末と、診断ソフトウェア、データ記憶領域、閲覧ソフトウェアの機能を持ったサーバーと、企業または家族の責任者が有するインターネットに接続されたコンピュータ端末からなるシステムであって、企業又は家族の構成員が有するインターネットに接続されたコンピュータ端末は、診断ソフトウェア、データ記憶領域、閲覧ソフトウェアの機能を持ったサーバーにアクセスし、企業又は家族の構成員の通勤、通学の情報及び個人の情報の受け渡しを行い、診断ソフトウェア、データ記憶領域、閲覧ソフトウェアの機能を持ったサーバーは、受け取った情報をもとに診断ソフトウェアを用い診断を行い、診断結果を記憶領域に保存するものであり、企業または家族の責任者が有するインターネットに接続されたコンピュータ端末は、診断ソフトウェア、データ記憶領域、閲覧ソフトウェアの機能を持ったサーバーにアクセスし、閲覧ソフトウェアを用いてデータ記憶領域にアクセスし、診断結果を閲覧し、ダウンロードできる帰宅出社困難者対策用システム。
(57)【要約】【課題】  リアキャリアーの取り付けられないバイクに、バイク用の箱を取り付けられる様にする。【解決手段】  板状の物、又は、棒状の物で作った枠１に足２のついた板状の物３を付け、バイクのタンデムシート４にバンド６で固定し、バイクに取り付ける箱５を板状の物３に取り付けられるようにした。【選択図】図１
0003164836.tif 000002
【実用新案登録請求の範囲】
【請求項１】
板状の物、又は、棒状の物で枠を作り、バイクに取り付ける箱を取り付けられるように板状の物に足を付け、それを枠に取りつけ、それをバイクのタンデムシートに取り付けられる様にバンドを付けたものである。
【考案の詳細な説明】
【考案の詳細な説明】
【考案が解決しようとする課題】
【００００００１】  従来、バイクに取り付ける箱を取り付けるには、二人乗りした時に後ろの人がつかむバーを外して、そこにリアキャリアーを取り付け、それに箱を金具で固定していたが、後ろの人がつかむバーが無く、リアキャリアーを付けられなく箱を付けられないバイクが多かった。それをリアキャリアーを取り付けられなくても箱を取り付けられる様にしようとするものである。
【課題を解決するための手段】
【００００００２】  上記目的を達成するために、板状の物、又は、棒状の物で枠をつくり、それに少し高くなる様に足をつけ、足に板状の物をつけ、それをタンデムシートに固定できる様にバンドを取りつけた。
【考案の効果】
【００００００３】  金具をタンデムシートにバンドで固定すれば、金具の板状部分に箱を取り付ける事ができる。
【図面の簡単な説明】
【図１】  使用状態を表す斜視図である。
【符号の説明】１  板状の物又は枠
２  足
３  板状の物
４  バイクのタンデムシート
５  バイクに取り付ける箱
６  バンド
【図１】
0003164836.tif 000003
【手続補正書】
【提出日】平成22年6月8日(2010.6.8)
【手続補正１】
【補正対象書類名】実用新案登録請求の範囲
【補正対象項目名】全文
【補正方法】変更
【補正の内容】
【実用新案登録請求の範囲】
【請求項１】
板状の物、又は、棒状の物で枠を作り、バイクに取り付けるパニアケースを取り付けられるように板状の物に足を付け、それを枠に取りつけ、それをバイクのタンデムシートに取り付けられる様にバンドを付けた金具。
【手続補正書】
【提出日】平成22年8月20日(2010.8.20)
【手続補正１】
【補正対象書類名】実用新案登録請求の範囲
【補正対象項目名】全文
【補正方法】変更
【補正の内容】
【実用新案登録請求の範囲】
【請求項１】
板状の物、又は、棒状の物で枠を作り、バイクに取り付ける箱を取り付けられるように枠とは別の板状の物に足を付けたものを枠に取り付け、枠と足の付いた板状の物で構成されたものをバイクのタンデムシートに取り付けられる様にバンドを付けた金具である。
(57)【要約】      （修正有）【課題】ごみ袋の収納が容易な折りたたみ式ごみ容器を提供する。【解決手段】内部にごみ袋を収容可能なごみ容器から成り、前記ごみ容器の中央から上部にかけて、蛇腹部分を設ける。さらに、前記ごみ容器の縦の長さは、前記ごみ袋の長さの６０から６５％であり前記ごみ容器の横の長さは前記ごみ袋の横の長さの１０５〜１１５％となる様にして、折りたたみ式ごみ容器を形成する。【選択図】図１
0003164838.tif 000002
【実用新案登録請求の範囲】
【請求項１】
考案の折りたたみ式・ごみ容器・楽ちん、はごみ容器内部にごみ袋を収容可能で、ごみ容器中央〜上部にかけて、蛇腹部分による、ごみ袋のずれ防止が出来る機能を兼ね備え、尚かつ、考案の折りたたみ式、ごみ容器、楽ちん、は、マジックサイズにより、ごみ袋の集積容量をパーフェクトに満たす、サイズ構成にあります、考案  折りたたみ式・ごみ容器・薬ちん、の、サイズ基本ベースはごみ袋サイズの、縦×６０〜６５％  横×１０５〜１１５％  ごみ容器の高さ×５５％を占める、上部の蛇腹部分を特徴とする、考案  折りたたみ式、ごみ容器・楽ちん、に関する。
【考案の詳細な説明】
【技術分野】
【０００１】  本考案は、容器内部にごみ袋を収容可能なごみ容器に関する。
【背景技術】
【０００２】  考案のごみ容器は折りたたみ式で収納が出来ます。
考案のごみ容器は中央から上部にかけて蛇腹式で伸縮自在である。
【考案の開示】
【考案が解決しようとする課題】
【０００３】  考案の折りたたみ式  ごみ容器・楽ちん、ごみ容器はマジックサイズ構成
【課題を解決するための手段】
【０００４】  考案のごみ容器はマジックサイズ
▲１▼  ごみ袋の縦の長さ×６０〜６５％、
▲２▼  ごみ袋の円周×１０５〜１１５％
考案のごみ容器は、マジックサイズ、ごみの集積に於いての天敵空気層対策は完璧です、
▲１▼  ごみ袋とごみ容器の間に出来る、空気層の対策
▲２▼  ごみ袋の中に出来るごみ同士による空気層の対策
【考案の効果】
【０００５】  よって、本考案の折りたたみ式  ごみ容器・楽ちん、は必要な時に役に立ち、必要でない時には、折りたたんで収納が出来、何時も快適な空間を提供いたします。ごみ処理能力は抜群で、お役に立ちます。
【考案を実施するため最良の形態】
【０００６】    考案最良の形態は、丸から四角までの円筒形で、円筒形ごみ容器の口径サイズは、上部口径、下部口径、共に、ごみ袋の横サイズ×１０５〜１１５％  縦サイズは、ごみ袋の縦の長さ×６０〜６５％です。
（特許第４１５７９１７    発明の名称  ごみ容器  特許権者  矢川辰治）略同等
【図面の簡単な説明】
【０００７】
【図１】    ▲１▼  本考案の折りたたみ式  ごみ容器・楽ちん、の、上部口径と下部口径のサイズは、共にごみ袋の円周×１０５〜１１５％である  ▲２▼  本考案の折りたたみ式  ごみ容器・楽ちん、の、高さは、ごみ袋の長さ×６０〜６５％である。  ▲３▼  本考案の折りたたみ式  ごみ容器・楽ちん、はごみの入ったごみ袋を持ち上げるのではなく、軽い折りたたみ式  ごみ容器・楽ちん、を持ち上げる、軽い、作業で済みます。
【図２】    ▲１▼  本考案の折りたたみ式  ごみ容器・楽ちんの上部は蛇腹機能付きである。  ▲２▼  本考案の折りたたみ式  ごみ容器・楽ちんの蛇腹機能はごみ袋をセットする時に内側にちじみ、セット後には元に戻ろうとする反発力でごみ袋の先端部分のズレ防止、ストッパー役を致します。
【図１】
0003164838.tif 000003
【図２】
0003164838.tif 000004
【図３】
0003164838.tif 000005
【手続補正書】
【提出日】平成22年7月21日(2010.7.21)
【手続補正１】
【補正対象書類名】実用新案登録請求の範囲
【補正対象項目名】全文
【補正方法】変更
【補正の内容】
【実用新案登録請求の範囲】
【請求項１】
「内部にごみ袋を収容可能なごみ容器から成り、前記ごみ容器の中央から上部にかけて、蛇腹部分を設けたことを特徴とする折りたたみ式ごみ容器。」や、「内部にごみ袋を収容可能なごみ容器から成り前記ごみ容器の中央から上部にかけて、蛇腹部分を設け、前記ごみ容器の縦の長さは前記ごみ袋の長さの６０から６５％であり前記ごみ容器の横の長さは前記ごみ袋の横の長さの１０５〜１１５％であることを特徴とする折りたたみ式ごみ容器。」
【手続補正２】
【補正対象書類名】明細書
【補正対象項目名】０００７
【補正方法】変更
【補正の内容】
【０００７】
【図１】四角形〜八角形製品の全体形状
【図２】四角形、使用時の底とボデー
【図３】多角的角度から見た形状説明
【手続補正書】
【提出日】平成22年9月24日(2010.9.24)
【手続補正１】
【補正対象書類名】実用新案登録請求の範囲
【補正対象項目名】全文
【補正方法】変更
【補正の内容】
【実用新案登録請求の範囲】
【請求項１】
内部にごみ袋を収容可能なごみ容器から成り前記ごみ容器の中央から上部にかけて、蛇腹部分を設け、前記ごみ容器の縦の長さは前記ごみ袋の長さの６０から６５％であり前記ごみ容器の横の長さは前記ごみ袋の横の長さの１０５〜１１５％であることを特徴とする折りたたみ式ごみ容器
(57)【要約】      （修正有）【課題】頻繁に行われる水換え作業が容易で扱いやすく、しかも廉価な改造で得ることができる観賞魚飼育用の水槽を提供する。【解決手段】側面の下から１／４〜１／３の高さに形成した穴に排水コック３を設ける。従って、排水コックを開きっぱなしにしても、水槽内の水が総て流出して魚にダメージを与える心配がない。また、開きっぱなしにしておけば、自動的に水槽内の水の１／２〜２／３程度を排出することができ、取り扱い性がよい。【選択図】図１
0003164808.tif 000002
【実用新案登録請求の範囲】
【請求項１】
観賞魚飼育用の水槽において、側面の下から１／４〜１／３の高さに形成した穴に排水コックが設けられていることを特徴とする観賞魚飼育用の水槽。
【請求項２】
前記排水コックの取水口が魚流出防止ネットで覆われていることを特徴とする請求項１に記載の観賞魚飼育用の水槽。
【請求項３】
側面がガラス板であることを特徴とする請求項１又は２に記載の観賞魚飼育用の水槽。
【請求項４】
前記排水コックの流出口にホースを接続可能であることを特徴とする請求項１乃至３のいずれか１項に記載の観賞魚飼育用の水槽。
【考案の詳細な説明】
【技術分野】
【０００１】
本考案は、例えば熱帯魚、金魚、その他の観賞魚を飼育するための水槽に関する。更に詳しくは、頻繁に行われる水換え作業が容易で改造しやすい水槽に関する。
【背景技術】
【０００２】
従来、観賞魚飼育用の水槽であって、水換え作業を容易にする水槽として、底部に網目状の敷物を配し、この敷物と底面との間に排水コックを設けた水槽が知られている（例えば、特許文献１参照）。
【先行技術文献】
【特許文献】
【０００３】
【特許文献１】特開２０００−１１６２７０号公報
【考案の概要】
【考案が解決しようとする課題】
【０００４】
しかしながら、上記従来の水槽の場合、排水コックが底部に設けられているため、排水コックを開いて目を離していると、水槽内の水が総て排出されてしまい、飼育している魚にダメージを与えてしまう問題がある。また、網目状の敷物を設け、この敷物と底面との間に排水コックを取り付けているので、このような敷物を備えていない既存の水槽では、廉価な改造では得ることができないという問題もある。
【０００５】
一方、一〜二週間毎に行われる水換えは、飼育環境が大きく変化することで魚にストレスを与えないよう、通常、水槽内の水の１／２〜２／３程度を入れ換えることで行われる。また、水槽内の水を総て抜き取るのは、一〜二年に一度程度行われる大掃除の時ぐらいである。
【０００６】
本考案は、上記頻繁に行われる水換えの実状に基づき、水換え作業を容易にする扱いやすい水槽であって、既存の水槽の廉価な改造で得ることができる新しい水槽を提供することを目的とする。
【課題を解決するための手段】
【０００７】
上記目的のために、本考案は、観賞魚飼育用の水槽において、側面の下から１／４〜１／３の高に形成した穴に排水コックが設けられていることを特徴とする観賞魚飼育用の水槽を提供するものである。
【０００８】
また、上記本考案は、前記排水コックの取水口に魚流出防止ネットが設けられていること、
側面がガラス板であること、
前記排水コックの流出口にホースを接続可能であること、
をその好ましい態様として含むものである。
【考案の効果】
【０００９】
本考案の水槽は、側面の下から１／４〜１／３の高さに排水コックが設けられているので、排水コックを開きっぱなしにしても、水槽内の水が総て流出して魚にダメージを与える心配がない。また、開きっぱなしにしておけば、自動的に水槽内の水の１／２〜２／３程度を排出することができ、取り扱い性がよい。
【００１０】
本考案の水槽は、既存の水槽の側面に穴を開けて排水コックを取り付けるだけで得ることができ、廉価な改良で得ることができる。
【００１１】
排水コックの取水口を魚流出防止ネットで覆っておくと、排水と共に魚が流されてしまうのを防止でき、側面がガラス板であると、プラスチック板である場合に比して排水コックの安定した取り付け状態が得やすい。更に、排水コックの流出口にホースを接続可能であると、バケツなどへの排水の誘導が容易となる。
【図面の簡単な説明】
【００１２】
【図１】本考案に係る観賞魚飼育用の水槽の一例を示す斜視図である。
【図２】排水コック付近の一部を断面とした拡大図である。
【考案を実施するための形態】
【００１３】
図１及び図２に基づいて本考案の一例を説明する。
【００１４】
図１に示されるように、本考案に係る観賞魚飼育用の水槽１は、側面２に排水コック３が取り付けられている。この排水コック３は、開閉して、水槽１内の水の排出と停止ができるもので、側面の下から１／４〜１／３の高さに設けられている。排水コック３の位置が高すぎると、水換え時に排水できる量が少なく、低過ぎると、注意して排水コック３を閉じないと水を捨てすぎてしまい、いずれも使い勝手が悪くなる。排水コック３を取り付ける水槽１の側面２は、水槽１が平面長方形の場合、排水コック３の存在が目立ちにくい短辺側が好ましい。また、排水コック３は、合成樹脂製でも金属製でもよく、開閉可能であれば、その開閉機構はレバー式でもステアリング式でもよい。
【００１５】
排水コック３の取り付けは、図２に示されるように、水槽１の側面２の下から１／４〜１／３の高さに、側面２を構成しているガラス板又は合成樹脂板に穴４を開け、排水コック３の取水口３ａ側である接続管部３ｂを外側からこの穴４に差し込み、水槽１内に突出した接続管部３ｂの先端部に止め具５をねじ込んで締め付けることで容易に行うことができる。
【００１６】
止水は、接続管部３ｂの基部に設けられたフランジ部３ｃと水槽１の側面２の間と、水槽１の側面２と止め具５との間に、それぞれパッキング６ａ，６ｂを挟み込ませることで行うことができる。パッキング６ａ，６ｂとしては、例えばニトリルゴム、スチロールゴム、シリコーンゴム等の一般的な合成ゴム製のものを用いることができる。
【００１７】
水槽１の側面２はガラス板である方が合成樹脂板である場合よりも剛性が高く、上記排水コック３の取り付け状態が安定するので好ましい。また、排水コック３の取水口３ａは、魚の流出防止のために、魚流出防止ネット７で覆っておくことが好ましい。この魚流出防止ネット７は、腐食しにくい金属又は合成繊維等で構成することができる。
【００１８】
排水コック３の流出口３ｄは、排水を任意の位置へ導くことができるよう、ホースを接続可能であることが好ましい。
【００１９】
上記本考案に係る水槽１は、水換えが楽であり、しかも既存の水槽の廉価且つ簡単な改造により得ることができるものである。
【符号の説明】
【００２０】
１  水槽
２  水槽の側面
３  排水コック
３ａ  取水口
３ｂ  接続管部
３ｃ  フランジ部
３ｄ  流出口
４  穴
５  止め具
６ａ，６ｂ  パッキング
７  魚流出防止ネット
【図１】
0003164808.tif 000003
【図２】
0003164808.tif 000004
(57)【要約】      （修正有）【課題】コンクリートの床面などに対してドリルによって削孔を行う際に発生する削孔屑を効率よく集塵するための集塵機を提供する。【解決手段】吸引装置２にホース１の一端が接続されるとともに、他端にＴ字管３の垂直方向の開口部が接続されてなり、Ｔ字管の水平方向の貫通部にドリルＡのビットＢを挿通して削孔を行い、発生した削孔屑を垂直方向の開口部から吸引して集塵する。【選択図】図１
0003164895.tif 000002
【実用新案登録請求の範囲】
【請求項１】
吸引装置にホースの一端が接続されるとともに、他端にＴ字管の垂直方向の開口部が接続されてなり、Ｔ字管の水平方向の貫通部にドリルのビットを挿通して削孔を行い、発生した削孔屑を垂直方向の開口部から吸引して集塵するように用いられるものであることを特徴とする集塵機。
【考案の詳細な説明】
【技術分野】
【０００１】
本考案は、コンクリートの床面などに対してドリルによって削孔を行う際に発生する削孔屑を効率よく集塵するための集塵機に関する。
【背景技術】
【０００２】
沈下、窪み、段差などを生じたり、その下方の地盤との間に空隙を生じたりした建物の床やスラブなどの基礎構造体を、その上に構築されている建築構造物や土木構造物を再構築や移動や移設などしたりすることなく、短時間で所定の高さにまで上昇させて平らにしたり、補強したりする方法として、修復必要箇所の下方の地盤の内部や空隙に、ノンフロン系発泡ウレタンなどのフロンガスを発生しない膨張性樹脂を注入し、これを膨張させる方法が知られている（例えば特許文献１を参照のこと）。この方法を実施するに当たっては、まず、基礎構造体に対し、その下方の地盤の内部や空隙に膨張性樹脂を注入するための注入孔をドリルによって削孔するが、基礎構造体がコンクリートの床面などの場合、削孔を行う際にコンクリート屑が削孔屑として発生する。発生した削孔屑は放置すると現場環境の悪化を招く。従って、図２に示したように、作業員は、ドリルＡによって削孔を行う際、発生した削孔屑を直ちに集塵するために、ホース１の一端を吸引装置２に接続した集塵機１５を用い、ホースの他端をドリルのビットＢのすぐそばに位置するように足で踏み押えて削孔を行うのが通例であるが、このような体勢での作業は効率が悪いことから、その改善策が現場で求められている。
【先行技術文献】
【特許文献】
【０００３】
【特許文献１】特開２００６−１４４２６９号公報
【考案の概要】
【考案が解決しようとする課題】
【０００４】
そこで本考案は、コンクリートの床面などに対してドリルによって削孔を行う際に発生する削孔屑を効率よく集塵するための集塵機を提供することを目的とする。
【課題を解決するための手段】
【０００５】
上記の点に鑑みてなされた本考案の集塵機は、請求項１記載の通り、吸引装置にホースの一端が接続されるとともに、他端にＴ字管の垂直方向の開口部が接続されてなり、Ｔ字管の水平方向の貫通部にドリルのビットを挿通して削孔を行い、発生した削孔屑を垂直方向の開口部から吸引して集塵するように用いられるものであることを特徴とする。
【考案の効果】
【０００６】
本考案によれば、コンクリートの床面などに対してドリルによって削孔を行う際に発生する削孔屑を効率よく集塵するための集塵機を提供することができる。
【図面の簡単な説明】
【０００７】
【図１】コンクリートの床面に対してドリルによって削孔を行う際の本考案の集塵機の使用態様の一例の説明図である。
【図２】同、従来の集塵機の使用態様の一例の説明図である。
【考案を実施するための形態】
【０００８】
以下、本考案の集塵機を図面に基づいて説明するが、本考案の集塵機は以下の記載に限定して解釈されるものではない。
【０００９】
図１は、コンクリートの床面に対してドリルによって削孔を行う際の本考案の集塵機の使用態様の一例の説明図である。本考案の集塵機５は、吸引装置２にホース１の一端が接続されるとともに、他端にＴ字管３の垂直方向の開口部が接続されてなる。集塵機５を構成するホース１と吸引装置２は、従来の集塵機のものをそのまま使用することができる。ホース１に垂直方向の開口部が接続されているＴ字管３は、例えば土木建築分野において配管用継手として使用されているものを利用することができる。Ｔ字管３はどのような材質からなるものであってもよいが、塩化ビニール製のものは軽量かつ安価である点において使用に適している。ホース１とＴ字管３の垂直方向の開口部の接続は、例えば養生テープ４を用いて行えばよい。ドリルのビットＢをＴ字管３の水平方向の貫通部に挿通して削孔を行えば、削孔屑を集塵するためのＴ字管３の垂直方向の開口部が削孔箇所のすぐそばに常に位置しているので、従来のように発生する削孔屑を集塵するためにホースの先端を足で踏み押えたりせずとも、発生した削孔屑は直ちに吸引されて集塵される。従って、作業員の作業の効率が格段に向上する。なお、Ｔ字管３の下部開口部（コンクリートの床面に当接させる開口部）から分岐部までの距離Ｌを短くすることで（５ｃｍ以内）、発生した削孔屑の集塵を効果的に行うことができる。削孔が終了したらドリルのビットＢをＴ字管３から引き抜き、Ｔ字管３の上部開口部を手や足で封止して吸引を行えばよい。こうすることでＴ字管３の内側に残存する削孔屑を全て集塵することができる。
【００１０】
なお、図１を用いた説明においては、本考案の集塵機とドリルは別個独立した存在であるが、両者は一体化されてもよい。
【産業上の利用可能性】
【００１１】
本考案は、コンクリートの床面などに対してドリルによって削孔を行う際に発生する削孔屑を効率よく集塵するための集塵機を提供することができる点において産業上の利用可能性を有する。
【符号の説明】
【００１２】
１  ホース
２  吸引装置
３  Ｔ字管
４  養生テープ
５  本考案の集塵機
１５  従来の集塵機
Ａ  ドリル
Ｂ  ビット
【図１】
0003164895.tif 000003
【図２】
0003164895.tif 000004
(57)【要約】      （修正有）【課題】容易な生産、迅速な作動、単純な構造、かつ実用において充分な余裕を持たせることを要諦とし、袋とカバーを兼用できる多用途シートを提供する。【解決手段】シート１の四辺をそれぞれ折り返し、開口部２と挿通部を可能な限り大きく取るように縁を縫合して、紐４を四辺の挿通部にそれぞれ挿通し一巡させ起点と終点を結び止めてループ状にする。袋として使う場合にはシート１の上に品物を置き、カバーとして使う場合には品物の上にシート１を被せ、それぞれループ状の紐４を引くことによりシート１の四辺が絞り込まれて品物を包む。【選択図】図１
0003164881.tif 000002
【実用新案登録請求の範囲】
【請求項１】
開口部ならびに紐の挿通部の余裕を可能な限り大きく取るように四辺の縁を折り返してミシンなどで縫合し、紐を四辺の挿通部にそれぞれ通して一巡させ、紐の起点と終点を結び止めループ状にして構成した、品物を上に置くあるいは品物の上に被せてループ状の紐を引くことによりシートの四辺が絞り込まれて迅速に品物を包むことができることを特徴とする、袋とカバーを兼用できる多用途シート。
【考案の詳細な説明】
【技術分野】
【０００１】  本考案は、袋とカバーを兼用できる多用途シートに関するものである。
【背景技術】
【０００２】  一枚の布から構成された袋やカバーは、従来から数多く考案されてきた。しかし実用に供する段階にまで開発に成功した物件は「風呂敷」と呼ばれる多用途布しかなく、他の考案は加工生産が難しいために市場を広く開拓するには至っていない。
【考案の概要】
【考案が解決しようとする課題】
【０００３】  例えば特開２００２−１１４２６２においては、布生地の四隅のぎりぎりまで縫い止めるために開口部が極めて小さく、そのために扁平紐という歪な断面形状の紐を通さなくてはならないこと、また図面で見る限りでは継ぎ目や結び目の全く無い輪ゴム状の特殊な紐の使用を要求されること、さらに使用する紐の断面寸法によっては挿通部の接触抵抗が過大になるので開閉のし難いことや紐の破断のおそれがあるなど、生産や実用において極めて困難な制約が現れている。【０００４】  本考案は、容易な生産、迅速な作動、単純な構造、かつ実用において充分な余裕を持たせることを要諦とし、袋とカバーを兼用できる多用途シートの提供を目的とする。
【課題を解決するための手段】
【０００５】  本考案では開口部ならびに紐の挿通部の余裕を可能な限り大きく取ることで、紐の挿入を容易にし、かつ開口部の開閉における抵抗を減少させることにより、上記目的を達成するようにした。
【考案の効果】
【０００６】  上述のように本考案の、袋とカバーを兼用できる多用途シート（以下「シート」と略記する）は紐の接触抵抗が小さいため、品物を包むあるいは品物に被せる作業を極めて迅速に行うことができ、またミシンなどによる縫合を四辺の折り返し縁にそれぞれ要するのみであり、さらに開口部ならびに紐の挿通部に大きな余裕があるため紐の挿入も容易であるなど、従来の考案に比し実用の便宜が充分に図られ、かつ生産工程を大幅に合理的にすることができる。
【図面の簡単な説明】
【０００７】
【図１】本考案の正面図である。
【図２】本考案の断面図である。
【図３】本考案を袋として使用する場合の説明図である。
【図４】本考案をカバーとして使用する場合の説明図である。
【考案を実施するための形態】
【０００８】  添付図面に従って説明する。図１および図２に示すように、開口部２ならびに紐４の挿通部３の余裕を可能な限り大きく取るため、シート本体１の四隅を三角に折り返してから四辺を反対向きに折り返して、辺縁だけをミシンなどで縫合する。紐４を四辺の挿通部３にそれぞれ通して一巡させ、紐４の起点と終点を結び止めてループ状とする。
【実施例】
【０００９】  袋として使う場合にはシート本体１の上に品物を置き、カバーとして使う場合には品物の上にシート本体１を被せ、それぞれループ状の紐４を引くことによりシート本体１の四辺が絞り込まれて品物を包む。
【符号の説明】
【００１０】  １  シート本体
２  開口部
３  挿通部
４  紐
５  縫合部
【図１】
0003164881.tif 000003
【図２】
0003164881.tif 000004
【図３】
0003164881.tif 000005
【図４】
0003164881.tif 000006
(57)【要約】      （修正有）【課題】横向きに寝た際に、肩口にかかる体重を分散させ、肩や首のこりを防ぐ横寝睡眠専用溝付き枕を提供する。【解決手段】枕部１と高さ調整板３の間に、肩口が入る溝部２を設ける。【選択図】図１
0003164566.tif 000002
【実用新案登録請求の範囲】
【請求項１】
枕部分と高さ調整板の中間に肩口が入る溝を設けた横寝睡眠専用溝付き枕。
【考案の詳細な説明】
【０００１】この発明はイビキが大きい人や無呼吸障害の人が、横寝睡眠することで症状を緩和できることに着目した横寝睡眠が長く楽に出来る溝付き枕に関するものである。
【背景技術】
【０００２】最近の医学の進歩によって、睡眠時無呼吸症候群が人体に重大なダメージを与えることが解明されてきた。横向きに睡眠することによって症状が緩和されることは解明されているが、横向きに寝ると肩口を圧迫するので肩こりや筋肉痛が起き長時間横寝状態を持続することが困難であった。
【考案の開示】
【考案が解決しようとする課題】
【０００３】横寝状態で睡眠することにより、口腔内の舌根が自重で垂れ下がり気道を狭くすることを防ぎ睡眠時無呼吸障害やイビキを軽減できることは証明されている。横寝睡眠に適した専用の枕がこれまで開発されていなかった。
（イ）従来の枕は横向きに寝ると、肩口を圧迫するので肩こりや首の痛みを起こし長時間の横寝睡眠に耐えられない構造になっている。
本発明は、以上のような欠点をなくすためになされたものである。
【課題を解決するための手段】
【０００４】（イ）枕と高さ調整板を一体化しその中央部分に溝を設け、その中に肩口を入れて横向きに寝ることにより、肩口にかかる体重を胸部に分散し肩こりを防止する枕
本発明は、以上の構成よりなる横寝専用溝付き枕である。
【考案の効果】
【０００５】仰向きに睡眠すると舌根が垂れ下がり気道を塞ぎ、イビキや無呼吸症の原因になっている。横向きに睡眠することで症状が緩和されることが証明されている。しかし横向きに寝ると肩が凝ったり首の痛みが発生し、長時間の横寝ができない。この肩口がすっぽり入る溝付き枕は、肩口にかかる体重を減らし、胸部に分散するので横向きに寝たときに起こる肩こりや首の張りを防ぎ長時間の横寝睡眠に耐えられる。
【考案を実施するための最良の状態】
【０００６】以下、本考案の実施例について説明する。
本発明品を使用するときは高さ調整板を敷布団の下に挿入し、肩口が納まる深さの溝部分を敷き布団の外に設ける。肩口より上の部分は敷布団より上方向にはみ出して睡眠する構造となっている。枕と高さ調整板は、面テープで結合されており分割収納できる。また、高さ調整板は折りたたみ出来るよう中央部分で分割されている
【図面の簡単な説明】
【０００７】
【図１】本考案の斜視図である。
【図２】本考案の平面図である。
【図３】本考案の収納図である。
【図４】本考案の使用中の側面図である。
【符号の説明】
【０００８】１  枕部
２  溝部
３  高さ調整板
４  敷き布団
【図１】
0003164566.tif 000003
【図２】
0003164566.tif 000004
【図３】
0003164566.tif 000005
【図４】
0003164566.tif 000006
(57)【要約】      （修正有）【課題】立体の外表面をチョーク又はペンで描画することができる立体黒板を提供する。【解決手段】三角柱、６面体、円柱又は半円中のいずれかの立体形状を有し、全ての面をチョーク又はペンで描画することができる面とする。【選択図】図１
0003164569.tif 000002
【実用新案登録請求の範囲】
【請求項１】
立体の外表面をチョーク又はペンで描画することができる面としたことを特徴とする立体黒板。
【考案の詳細な説明】
【技術分野】
【０００１】
本考案は、立体黒板に関する。
【背景技術】
【０００２】
これまでの黒板は平面を利用したものであった。このため黒板として利用できる面が１面に限られており、使い勝手がよくなかった。また黒板の縦横を転移したり、回転可能とすることにより使い勝手の改善を意図した提案もなされている（特許文献１、２参照）。
ところが従来の黒板は、黒板を立体的に利用することについて考慮されていなかったため、平面的に単なる文字あるいは図形を描画する手段にすぎなかった。
【先行技術文献】
【特許文献】
【０００３】
【特許文献１】実開昭５７−１８５５９１号公報
【特許文献２】実開昭６２−１６１８５０号公報
【考案の概要】
【考案が解決しようとする課題】
【０００４】
したがって本考案は、従来の黒板を改良し、立体の外表面をチョーク又はペンで描画することができる立体黒板を提供することを課題とする。
【課題を解決するための手段】
【０００５】
上記課題は、次のような立体黒板とすることにより解決される。
立体の外表面をチョーク又はペンで描画することができる面としたことを特徴とする立体黒板。
【考案の効果】
【０００６】
本考案によれば、立体の外表面をチョーク又はペンで描画することができるため、黒板を立体的に利用することができる。
【図面の簡単な説明】
【０００７】
【図１】本考案に係る各種立体黒板を説明するための図面である。
【図２】本考案に係る立体黒板の使用例を説明するための図面である。
【図３】本考案に係る他の立体黒板の使用例を説明するための図面である。
【図４】本考案に係る他の立体黒板の使用例を説明するための図面である。
【図５】本考案に係る他の立体黒板の使用例を説明するための図面である。
【図６】本考案に係る他の立体黒板の使用例を説明するための図面である。
【図７】本考案に係る他の立体黒板の使用例を説明するための図面である。
【考案を実施するための形態】
【０００８】
本考案に係る立体黒板について、図面を参照して詳細に説明する。
図１は、本考案に係る各種立体黒板を例示したものである。図１から明らかなように、外表面をチョークで描画することができる正６面体、円柱体等各種形状の立体が黒板として利用される。また図１には立体黒板に使用するチョークも併せて表示されている。
【０００９】
図２は、本考案に係る正６面体の立体黒板を説明するための図面である。
正６面体の全ての面について、チョークで描画することができる面とした立体黒板であり、図２では、家が全ての面を利用して立体的に描画されている。
図３では、上記の家に加えて、他の立体黒板に車が立体的に描画されている。この場合立体黒板の描画に加えて立体黒板同士の配置を楽しむことができる。
【００１０】
また、図４では、ブランコ及び公園の風景を立体的に描画した３個の立体黒板が配置されている。図５に示すように、立体黒板の配置を変えることにより全体の雰囲気の変化が楽しめる。
さらに、図６のように繰り返し使えるメモとしても使用できる。また、図７に示すように、各種立体黒板を組み合わせ配置することにより、集落の風景を楽しむこともできる。
【００１１】
本考案に係る立体黒板には、次のような利点がある。
（１）黒板を「立体」にすることで新しい創造性が生まれる。
（２）積み木状の黒板に色とりどりのチョークで、絵・文字・線を描けば様々な物語や造形が生まれる。
（３）幼稚園、保育園、小学校での教材として、子供向けワークショップのテーマとして情操教育や美術教育などにも活用できる。
（４）大人も子供の頃を思い出し、無心で遊びの世界に入れる。
（５）お洒落でナチュラルなインテリアとして使用できる。
（６）繰り返し使えるメモとして使用できる。
（７）描いたり消したりできる積み木として、何度でも繰り返して使用できる。
【００１２】
以上本明細書では図１に示すような黒色の面を有する狭義の立体黒板について説明したが本考案はこれに限定されず、いわゆる白板にも当然適用できる。この場合には立体の外表面をチョークに代えてペンで描画することになる。
したがって、本願の実用新案登録請求の範囲に記載の「黒板」には、狭義の黒板のみならず、白板も含む広義の黒板が包含される。
【図１】
0003164569.tif 000003
【図２】
0003164569.tif 000004
【図３】
0003164569.tif 000005
【図４】
0003164569.tif 000006
【図５】
0003164569.tif 000007
【図６】
0003164569.tif 000008
【図７】
0003164569.tif 000009
【手続補正書】
【提出日】平成22年10月4日(2010.10.4)
【手続補正１】
【補正対象書類名】実用新案登録請求の範囲
【補正対象項目名】全文
【補正方法】変更
【補正の内容】
【実用新案登録請求の範囲】
【請求項１】
三角柱、６面体、円柱又は半円柱のいずれかの立体形状を有するとともに、該立体形状の全ての面をチョーク又はペンで描画することができる面としたことを特徴とする立体黒板。
(57)【要約】      （修正有）【課題】極細繊維をニット織加工することで、洗剤無しで頑固な油汚れ等を落し、傷がつきにくく、汚れを絡め取り易くなり、ウレタン等を重ね合わせることで、水滴を素早くふき取る事の出来る洗浄用クリーナーを提供する。【解決手段】極細繊維のニット織り生地とウレタン３を熱溶着させることが最良の形態であり汚れを落した後の水滴を素早くふき取る事が出来る。したがって、極細繊維をニット織加工することで、洗剤を使わずに汚れを絡め取り易くなり、水滴を取ることで乾燥が速く、環境にやさしい。【選択図】図１
0003164544.tif 000002
【実用新案登録請求の範囲】
【請求項１】
極細繊維のニット織生地をウレタン等を重ね合わせることを特徴とする洗浄用クリーナー。
【請求項２】
極細繊維ニット織の生地とウレタンを熱溶着以外でも  縫製  瀬着剤を使用しても良い
【請求項３】
付加価値をつける為に、熱溶着した線にそって切り取り形を自由に変えられる。
【請求項４】
ウレタンの弾力を利用することで、極細ニット繊維を洗浄する器物の凸凹の隙間に入り易くなり、洗浄性と吸水性を増す。
【考案の詳細な説明】
【技術分野】
【０００１】本考案はキッチン・バス・洗面等洗浄用として  汚れを取り除くのに適した洗浄用クリーナーの関する。
【背景技術】
【０００２】従来商品は繊維を布状にし  ウレタンを貼り合わせた製品がありますが汚れや水滴を十分にふき取る事が出来なかった。
【先行技術文献】
【特許文献】
【０００３】
【特許文献１】実用新案登録第３１１８６３８号
【特許文献２】特開２００８１００４０２号公開
【考案の概要】
【０００４】極細繊維をニット織加工することで、洗剤無しで頑固な油汚れ等を落し、傷がつきにくく、汚れを絡め取る効果を有した。
【０００５】ウレタン等を重ね合わせることで、洗面台、浴槽、キッチン等の水滴を素早くふき取る事の出来る様になった。
【０００６】極細繊維のニット織り生地とウレタンを熱溶着させることが最良の形態である。
【０００７】ニット織り生地や複数のウレタンの接合は熱溶着意外にも縫製  接着剤等いずれの方法でも良い。
【０００８】付加価値をつける為に、色々な形に熱溶着しその溶着線に沿って切り取ることにより自由な形の物を作る事が出来る。
【０００９】極細繊維をニット織加工することで、洗剤を使わずに汚れを絡め取り易くなり、水滴を取ることで乾燥が速く、環境にやさしい洗浄用品になった。
【００１０】極細繊維をニット織加工することで、洗われる器物の凸凹や隙間に繊維が入り込み表面の汚れを簡単に取り除く。
【考案が解決しようとする課題】
【００１１】洗剤を使わずに、雑菌の原因となる汚れや水滴を取る。
【課題を解決するための手段】
【００１２】極細繊維をニット織りすることで、傷を付けずに洗剤を使わず汚れを落し、ウレタンを重ねる事で、水滴を取ることできる為に、清潔を維持できる。
【考案の効果】
【００１３】極細繊維をニット織りすることで、傷を付けずに洗剤を使わず従来品より汚れを落し、ウレタンを重ねる事で、水滴を残さずに水滴を取ることできる為に、清潔を維持できる。
【図面の簡単な説明】
【００１４】
【図１】本洗浄用クリーナーの斜面図
【考案を実施するための形態】
【００１５】極細繊維の生地とウレタンを熱溶着させることが最良の形態である。
【産業上の利用可能性】
【００１６】キッチンクリーナー・バスクリーナー・洗面クリーナー・メガネクリーナー・洗車クリーナー・雨戸・網戸クリーナー・ガラスクリーナー・湿気取クリーナー・消臭クリーナー
【符号の説明】
【００１７】▲１▼：極細繊維
▲２▼：粘着シート
▲３▼：ウレタン
【図１】
0003164544.tif 000003
【手続補正書】
【提出日】平成22年9月10日(2010.9.10)
【手続補正１】
【補正対象書類名】実用新案登録請求の範囲
【補正対象項目名】全文
【補正方法】変更
【補正の内容】
【実用新案登録請求の範囲】
【請求項１】
極細繊維のニット織生地をウレタンスポンジに貼り合わせたことを特徴とする洗浄用クリーナー。
(57)【要約】      （修正有）【課題】洗面器の外側に水が跳ねるのを防止することができる洗面台の洗面器を提供する。【解決手段】洗面台の洗面器の最上部に水平面の内側に向かうように洗面器の内側にそって折り返し部を設け、その折り返し部先端を結ぶ線を内周とすると、その折り返し部の付け根の下部を外周とした場合に、その外周より内周を数センチ小さくする。【選択図】図１
0003164543.tif 000002
【実用新案登録請求の範囲】
【請求項１】
洗面台の洗面器の上部外周を下部外周より数センチ小さくした折り返しを施すことにより、その周囲への水跳ねを軽減する洗面台の洗面器。
【考案の詳細な説明】
【技術分野】
【０００１】本考案は一般住宅の洗面台の洗面器の構造に関する。
【背景技術】
【０００２】洗面器の基本的、構造は現在まで変わることがなく、生活習慣の変化に対応してその構造が改良されることはなかった。
【先行技術文献】
【０００３】
【特許文献１】特開２００１−２９９６０３
【実用新案文献１】
実開平５−１６８６５
【考案の概要】
【考案が解決しようとする課題】
【０００５】一般住宅の洗面台は単に顔を洗うことにとどまらず、若い男女は頭髪を洗うこともあり、洗面器に水を貯めたほかに蛇口からシャワーを出して水面より頭二つ分程度上部から水を出して髪をあらうことから、水面にシャワーの水が当たり、洗面器周辺に水が跳ね返り、周囲の床をぬらすことがあった。
【課題を解決するための手段】
【０００６】洗面器の周囲の淵に水跳ね防止の折り返りを付けることにより、洗面器の水面が波打って周辺に水が揺れても、折りかえり部分で水が中央に戻されるため、洗面器の外側に水が跳ねるのを防止することができる。
【考案の効果】
【０００７】洗面器で髪を洗っても、周囲に水が飛び散ることをほとんど防ぐことができた。
【図面の簡単な説明】
【０００８】
【図１】本件考案の概略図
【図２】図１のＡ−Ａ断面図
【図３】本件考案の実施例
【考案を実施するための形態】
【０００９】図１のように洗面台１の上部に設置された洗面器２の周囲に、図２の断面図に示すように、その外周より数センチ程度小さくした折り返しをつける。
【実施例】
【００１０】図３のように頭髪を洗う人６が本考案の洗面器２を使用することにより頭髪をシャワーで洗っても水が床面に飛び散らない。
【符号の説明】
【００１１】１  洗面台
２  洗面器
３  洗面器の周辺
４  水道の蛇口
５  洗面器の折り返し
６  頭髪を洗う人
【図１】
0003164543.tif 000003
【図２】
0003164543.tif 000004
【図３】
0003164543.tif 000005
【手続補正書】
【提出日】平成22年9月9日(2010.9.9)
【手続補正１】
【補正対象書類名】実用新案登録請求の範囲
【補正対象項目名】全文
【補正方法】変更
【補正の内容】
【実用新案登録請求の範囲】
【請求項１】
洗面台の洗面器の最上部に水平面の内側に向かうように洗面器の内側にそって折り返し部を設け、その折り返し部先端を結ぶ線を内周とすると、その折り返し部の付け根の下部を外周とした場合に、その外周より内周を数センチ小さくしたことにより、周囲への水跳ねを軽減する洗面台の洗面器。